(57)【要約】【課題】透過反射方式を用い、必要な各種色を表示し、電気エネルギーを消耗せず、且つ、きらきらする効果がない表示方法を提供する。【解決手段】表示方法、表示装置及び表示スクリーンであって、そのうち、表示方法には、白色反射板３０１を提供し、当該白色反射板自身は光を反射して白光を生じさせる。上記の白色反射板の上又は外側にカラーフィルタ３０２、３０３、３０４が設けられ、上記の白光が上記のカラーフィルタを透過する際に色彩を表示する。【選択図】図３Ｃ
2011508910.tif 000002
【特許請求の範囲】
【請求項１】
白色反射板を提供し、当該白色反射板自身は光を反射して白光を生じさせ、上記の白色反射板の上又は外側にカラーフィルタが設けられ、上記の白光が上記のカラーフィルタを透過する際に色彩を表示することを特徴とする、表示方法。
【請求項２】
上記のカラーフィルタは１個又は多数個であることを特徴とする請求項１に記載の表示方法。
【請求項３】
上記の白色反射板とカラーフィルタの形状は平面板形、柱形、半柱形であることを特徴とする請求項１に記載の表示方法。
【請求項４】
上記のカラーフィルタと上記の白色反射板を完全に重ね、又は部分的に重ねることを特徴とする請求項１に記載の表示方法。
【請求項５】
上記のカラーフィルタが１個で、且つ、完全に重ねる場合、表示される色彩は当該カラーフィルタの色であり、部分的に重ねる場合、表示される色彩は当該カラーフィルタの色より薄い色であることを特徴とする請求項４に記載の表示方法。
【請求項６】
上記のカラーフィルタが２個で、且つ、完全に重ねる場合、表示される色彩は当該２個のカラーフィルタを重ねて合成される色であり、部分的に重ねる場合、表示される色彩は当該２個のカラーフィルタを重ねて合成される色より薄い色であることを特徴とする請求項１に記載の表示方法。
【請求項７】
上記のカラーフィルタが３個で、且つ、完全に重ねる場合、表示される色彩は当該３個のカラーフィルタを重ねて合成される色であり、部分的に重ねる場合、表示される色彩は当該３個のカラーフィルタを重ねて合成される色より薄い色であることを特徴とする請求項１に記載の表示方法。
【請求項８】
当該カラーフィルタの形状が柱形である場合、当該柱形の一部分は透明体であり、他の部分はカラーフィルタであることを特徴とする請求項１に記載の表示方法。
【請求項９】
上記の白色反射板とカラーフィルタの形状が柱形又は半柱形である場合、当該方法はさらに、当該カラーフィルタを回転させることを含み、上記のカラーフィルタと白色反射板を重ねる方式により、対応する色彩を表示することを特徴とする請求項８に記載の表示方法。
【請求項１０】
上記のカラーフィルタの色は黄色、空色、或いはピンク色であり、そのうち、上記の黄色と空色を重ねて生じる色は緑色であり、上記の黄色とピンク色を重ねて生じる色は赤色であり、上記のピンク色と空色を重ねて生じる色は青色であり、上記の黄色と空色とピンク色を重ねて生じる色は黒色であることを特徴とする請求項１に記載の表示方法。
【請求項１１】
上記のカラーフィルタはガラス製のカラーフィルタ又はプラスチック製のカラーフィルタであるか、或いは上記のカラーフィルタは透明のガラス又は透明のプラスチックで、その当該透明のガラス又は透明のプラスチックの表面にカラーフィルタ膜を貼り付けることを特徴とする請求項１に記載の表示方法。
【請求項１２】
上記のカラーフィルタはコレステリン原理又は液晶原理により透明度を制御するカラーの透明のシート又はカラーの透明の膜であることを特徴とする請求項１に記載の表示方法。
【請求項１３】
上記の白色反射板は白いプラスチック板、又は白い紙板、又は白いアルミニウムシート、又は白いアルミニウム合金シートであるか、或いは上記の白色反射板はプラスチック板、紙板、アルミニウムシート、アルミニウム合金シートであり、その当該プラスチック板、紙板、アルミニウムシート、アルミニウム合金シートに白い反射膜を貼り付けることを特徴とする請求項１に記載の表示方法。
【請求項１４】
上記の白色反射板はコレステリン原理又は液晶原理により反射率を制御する白い反射膜であることを特徴とする請求項１に記載の表示方法。
【請求項１５】
白色反射板と、少なくとも１個のカラーフィルタを含み、当該白色反射板は反射に使用されて白光を生じさせ、当該カラーフィルタは上記白色反射板に隣接し、上記白光が上記カラーフィルタを透過して反射する際に、色彩を表示することを特徴とする、表示装置。
【請求項１６】
上記の表示装置は更にブラケットを含み、当該ブラケットは上記の白色反射板と上記のカラーフィルタを支えることに使用されていることを特徴とする請求項１５に記載の表示装置。
【請求項１７】
上記のカラーフィルタは多数個であり、当該多数個のカラーフィルタと上記の白色反射板を互いに完全に重ねて、又は部分的に重ねることを特徴とする請求項１５に記載の表示装置。
【請求項１８】
上記の白色反射板と上記のカラーフィルタの形状は平面板の形状であり、そのうち、上記のカラーフィルタは上記の白色反射板の上に設けられていることを特徴とする請求項１５に記載の表示装置。
【請求項１９】
上記の白色反射板と上記のカラーフィルタの形状は柱形又は半柱形であり、そのうち、上記の白色反射板と上記のカラーフィルタの形状が柱形又は半柱形である場合、当該カラーフィルタは上記の白色反射板の外側に設けられていることを特徴とする請求項１５に記載の表示装置。
【請求項２０】
上記の表示装置は更に回転軸とブラケットを含み、
当該回転軸は上記のカラーフィルタと上記の白色反射板に繋げられ、上記のカラーフィルタと白色反射板を支えることに使用され、そのうち、上記のカラーフィルタが上記の回転軸の回りを回転し、又は上記のカラーフィルタと白色反射板が上記の回転軸の回りを回転し、
ブラケットは上記の回転軸に繋げられ、上記の回転軸を支えることを特徴とする請求項１９に記載の表示装置。
【請求項２１】
上記の表示装置は更に駆動ユニットを含み、当該駆動ユニットはカラーフィルタに繋げられ、上記のカラーフィルタを駆動して上記の回転軸の回りを回転させること特徴とする請求項２０に記載の表示装置。
【請求項２２】
上記の駆動ユニットは少なくとも一つの誘導磁石又は永久磁石と、少なくとも一つの導電コイルを巻き付けた磁石を含み、上記の誘導磁石又は永久磁石はカラーフィルタの上に設けられ、上記の回転軸に対して垂直であり、上記の導電コイルは表示スクリーンの制御回路に繋げられ、上記の導電コイルを巻き付けた磁石は上記の回転軸に設けられ、且つ、上記の導電コイルを巻き付けた磁石のＳ−Ｎ極は誘導磁石、又は永久磁石のＳ−Ｎ極のトップ位置に対応することを特徴とする請求項２１に記載の表示装置。
【請求項２３】
上記の表示装置は更に駆動ユニットを含み、上記の駆動ユニットは上記のカラーフィルタと上記の白色反射板に繋げられ、上記のカラーフィルタと上記の白色反射板を駆動して上記の回転軸の回りを回転させることを特徴とする請求項２０に記載の表示装置。
【請求項２４】
上記の駆動ユニットは少なくとも二つの誘導磁石又は永久磁石と、少なくとも二つの導電コイルを巻き付けた磁石を含み、上記の誘導磁石又は永久磁石はカラーフィルタの上に設けられ、上記の回転軸に対して垂直であり、当該導電コイルは表示スクリーンの制御回路に繋げられ、上記の導電コイルを巻き付けた磁石は上記の回転軸に対して垂直に設けられ、且つ、上記の導電コイルを巻き付けた磁石のＳ−Ｎ極は誘導磁石、又は永久磁石のＳ−Ｎ極のトップ位置に対応することを特徴とする請求項２１に記載の表示装置。
【請求項２５】
上記の駆動ユニットは更にベアリングユニットを含み、当該ベアリングユニットは上記の導電コイルを巻き付けた磁石を支えることを特徴とする請求項２２又は２４に記載の表示装置。
【請求項２６】
表示スクリーンフレームと、表示スクリーンフレームに取り付けられるスクリーンと、表示スクリーンフレームの内に取り付けられる制御回路からなり、上記のスクリーンは複数個の表示セルで構成され、上記の表示セルは制御回路に接続され、上記の表示セルは白色反射板と少なくもと１個のカラーフィルタを含み、当該白色反射板は反射に使用されて白光を生じさせ、当該カラーフィルタは上記の白色反射板に隣接し、上記の白光が上記のカラーフィルタを透過する際に色を表示することを特徴とする、表示スクリーン。
【請求項２７】
上記の表示セルは更にブラケットを含み、当該ブラケットは白色反射板とカラーフィルタを支えることを特徴とする請求項２６に記載の表示スクリーン。
【請求項２８】
上記のカラーフィルタは多数個であり、当該多数個のカラーフィルタを互いに完全に重ね、又は部分的に重ねることを特徴とする請求項２６に記載の表示スクリーン。
【請求項２９】
上記の白色反射板とカラーフィルタの形状は平面板の形状で、そのうち、当該カラーフィルタは当該白色反射板上に設けられていることを特徴とする請求項２６に記載の表示スクリーン。
【請求項３０】
上記の白色反射板とカラーフィルタの形状は柱形又は半柱形で、そのうち、上記の白色反射板とカラーフィルタの形状が柱形又は半柱形である場合、当該カラーフィルタは当該白色反射板の外側に設けられていることを特徴とする請求項２６に記載の表示スクリーン。
【請求項３１】
上記の表示セルは更に回転軸とブラケットを含み、当該回転軸は上記のカラーフィルタと白色反射板に繋げられ、上記のカラーフィルタと白色反射板を支え、そのうち、上記のカラーフィルタは上記の回転軸の回りを回転し、又は上記のカラーフィルタと白色反射板は上記の回転軸の回りを回転し、当該ブラケットは上記の回転軸に繋げられ、当該回転軸を支えることを特徴とする請求項２６に記載の表示スクリーン。
【請求項３２】
上記の表示セルは更に駆動ユニットを含み、当該駆動ユニットは上記のカラーフィルタに繋げられ、上記のカラーフィルタを駆動して上記の回転軸の回りを回転させることを特徴とする請求項３１に記載の表示スクリーン。
【請求項３３】
上記の駆動ユニットは少なくとも一つの誘導磁石又は永久磁石と、少なくとも一つの導電コイルを巻き付けた磁石を含み、上記の誘導磁石又は永久磁石はカラーフィルタの上に設けられ、上記の回転軸に対して垂直であり、上記の導電コイルは上記の制御回路に繋げられ、上記の導電コイルを巻き付けた磁石は上記の回転軸に対して垂直に設けられ、且つ、上記の導電コイルを巻き付けた磁石のＳ−Ｎ極は誘導磁石、又は永久磁石のＳ−Ｎ極のトップ位置に対応することを特徴とする請求項３２に記載の表示スクリーン。
【請求項３４】
上記の表示セルは更に駆動ユニットを含み、上記の駆動ユニットは上記のカラーフィルタと上記の白色反射板に繋げられ、上記のカラーフィルタと上記の白色反射板を駆動して上記の回転軸の回りを回転させることを特徴とする請求項３１に記載の表示スクリーン。
【請求項３５】
上記の駆動ユニットは少なくとも二つの誘導磁石又は永久磁石と、少なくとも二つの導電コイルを巻き付けた磁石を含み、上記の誘導磁石又は永久磁石はカラーフィルタの上に設けられ、上記の回転軸に対して垂直であり、当該導電コイルは上記の制御回路に繋げられ、上記の導電コイルを巻き付けた磁石は上記の回転軸に対して垂直に設けられ、且つ、上記の導電コイルを巻き付けた磁石のＳ−Ｎ極は誘導磁石、又は永久磁石のＳ−Ｎ極のトップ位置に対応することを特徴とする請求項３４に記載の表示スクリーン。
【請求項３６】
上記の表示セルは更に少なくとも一つの誘導磁石又は永久磁石を含み、当該誘導磁石又は永久磁石は上記のカラーフィルタ上に設けられ、上記の回転軸に対して垂直であることを特徴とする請求項３１に記載の表示スクリーン。
【請求項３７】
上記の表示スクリーンは更に駆動ユニットを含み、当該駆動ユニットは少なくとも一つの導電コイルを巻き付けた磁石を含み、当該導電コイルを巻き付けた磁石は上記の制御回路に繋げられ、上記の導電コイルを巻き付けた磁石は上記の回転軸に対して垂直に設けられ、且つ、上記の導電コイルを巻き付けた磁石のＳ−Ｎ極は上記の誘導磁石、又は永久磁石のＳ−Ｎ極のトップ位置に対応することを特徴とする請求項３６に記載の表示スクリーン。
【請求項３８】
上記の表示セルは更に少なくとも二つの誘導磁石又は永久磁石を含み、当該誘導磁石又は永久磁石は上記のカラーフィルタと白色反射板上に設けられ、上記の回転軸に対して垂直であることを特徴とする請求項３１に記載の表示スクリーン。
【請求項３９】
上記の表示スクリーンは更に駆動ユニットを含み、当該駆動ユニットは少なくとも二つの導電コイルを巻き付けた磁石を含み、当該導電コイルを巻き付けた磁石は上記の制御回路に繋げられ、上記の導電コイルを巻き付けた磁石は上記の回転軸に対して垂直に設けられ、且つ、上記の導電コイルを巻き付けた磁石のＳ−Ｎ極は上記の誘導磁石、又は永久磁石のＳ−Ｎ極のトップ位置に対応することを特徴とする請求項３８に記載の表示スクリーン。
【請求項４０】
上記の駆動ユニットは１個で又は多数個であることを特徴とする請求項３７又は３９に記載の表示スクリーン。
【請求項４１】
上記の駆動ユニットは更にベアリングユニットを含み、当該ベアリングユニットは導電コイルを巻き付けた磁石を支えることを特徴とする請求項３３、３５、３７又は３９に記載の表示スクリーン。
【請求項４２】
上記の表示スクリーンは多数個の表示セルで構成されているアレイであることを特徴とする請求項３１に記載の表示スクリーン。
【請求項４３】
上記の表示スクリーンは多数個の発光ダイオードを含み、当該発光ダイオードは表示セル同士の間に、又は表示セルの四つの角に設けられ、一つの発光ダイオードのアレイを形成することを特徴とする請求項４２に記載の表示スクリーン。
【発明の詳細な説明】
【技術分野】
【０００１】
本発明は、特に表示方法、表示装置および表示スクリーンに関する。
【背景技術】
【０００２】
従来、表示装置は液晶表示装置、プラズマ表示装置、有機発光表示装置、発光ダイオードエレクトロン表示装置などを含む。上述したような表示装置は、駆動液晶、プラズマ、発光ダイオード、ネオンランプおよび普通の電球などの発光により文字や図形を表示する。
【０００３】
例えば、ＬＥＤ光源は、低い作動電圧、低い電気エネルギーの消耗、安定した性能、高い光の強さ、適当な視角などといった利点があるため、幅広く情報表示スクリーンに使用されている。例えば、高速道路の交通情報、天候情報、注意情報などに使用されたり、また、都会中心の放送広告やエンターテインメント番組のような、広告やエンターテインメント分野においても使用されたりしている。しかし、その発光散乱角が大きいため、照射面積が大きくなる。従って、十分な輝度を得て一定の可視距離を守るため、数多く、またはパワーの大きいＬＥＤが必要である。一個だけのＬＥＤの電気エネルギー消耗は少ないが、数が極めて多くなると、電気エネルギーの消耗も極めて大きい。
【０００４】
この電気エネルギーの消耗が大きいという問題を解決するため、中国特許出願２００６２００１３３０６．１、中国特許ＣＮ２９０４１８０Ｙに、省エネルギー情報表示スクリーンを発明の名称とする実用新案に一種の情報表示スクリーンが開示されており、その出願内容をここに援用する。
【０００５】
図１Ａ、図１Ｂに示すように、その表示スクリーンは表示スクリーン本体１を含む。当該表示スクリーン本体１にＬＥＤ表示アレイ２および制御回路を設ける。表示アレイ２は数多くのＬＥＤ３からなる。
【０００６】
図１Ｂに示すように、表示アレイ２上のＬＥＤ３発光端のいずれもが内に向き、対向する反射凹面鏡４の前に設けられている。従って、当該反射凹面鏡４を増やすことにより、ＬＥＤから発射した光は反射凹面鏡４で反射され、焦点が合わせられ、散乱角は小さくなり、照射距離が遠くなり、光が効率的に利用される。これと同じような表示効果を達成する場合、使用したＬＥＤの数を減らすことができ、かつ、エネルギーの消耗が少なくなる。
【０００７】
中国特許出願０２１４２４７７．２、中国特許ＣＮ１２２６６５８Ｃに、液晶表示装置およびその発光方法を発明の名称とする特許に一種の液晶表示装置が開示されており、その出願内容をここに援用する。
【０００８】
図２Ａは、関連技術の液晶表示装置の概略構造図である。図２Ａに示すように、液晶表示装置２０は発光アレイ２１、発光アレイ２１の前に設けられた均一板２２、均一板２２の前に設けられた第一偏光シート２３、第一偏光シート２３の前に設けられた液晶表示パネル２４、および液晶表示パネル２４の前に設けられた第二偏光シート２５からなる。
【０００９】
図２Ｂは図２Ａ中の発光アレイ２１の概略図である。図２Ｃは図２Ａ中の均一板の概略図である。図２Ｂ、図２Ｃに示すように、発光アレイ２１は複数個の独立光源２１１を含む。各々の独立光源２１１はいずれも赤、青、緑の三色の原色発光素子２１２、２１３、と２１４を含み、しかも、同一の発光時間内に、一つの原色発光素子２１２、２１３、又は２１４のいずれかが発光し、又は三つの原色発光素子が全て発光し、又は三つの原色発光素子が全て発光しない、又はいずれかの二つの原色発光素子２１２、２１３、或いは２１４が発光して８種類の発光可能の組み合わせを発光している。このようにして、全て可能な色の表示を完成する。その内、原色発光素子が発光ダイオードでもよいし、有機発光ダイオードでもよい。発光色の選択及び強度の制御については制御回路で実現される。
【００１０】
上述したことから、上述した発光方式で形成した表示スクリーンは室内又は室外の広告などに使用されている。ただし、それらの共通の欠点は電気エネルギーが間歇なく消耗され、特に、室外で応用される場合、電気エネルギーの消耗量が極めて高い。また、表示スクリーンによってきらきらする効果は光汚染となり、付近の住民に影響を与える。また、当該表示スクリーンが高速道路に応用される場合、そのきらきらする効果が運転手の視界に悪い影響を与えるため、交通事故を容易に引き起こしている。
【先行技術文献】
【特許文献】
【００１１】
【特許文献１】中国特許ＣＮ２９０４１８０Ｙ
【特許文献２】中国特許ＣＮ１２２６６５８Ｃ
【発明の概要】
【発明が解決しようとする課題】
【００１２】
本発明は上記関連技術にある問題に鑑みてなされたものであり、透過反射方式を用い、必要な各種色を表示し、電気エネルギーを消耗せず、且つ、きらきらする効果がない表示方法を提供することを目的とする。
【００１３】
表示装置を提供することを本発明のもう一つの目的とする。当該表示装置は、反射板と色付きのフィルタとを組み合わせることにより、必要な各種色を表示し、電気エネルギーの消耗をなくし、且つ、きらきらする効果のない、省エネルギーでありながら、環境に優しく、且つ、簡単な構造と低いコストで実現され、特に、大型の室外或いは室内の広告表示スクリーンに適用される。
【００１４】
表示スクリーンを提供することを本発明のもう一つの目的とする。当該表示スクリーンは数多くの表示装置からなる。当該表示スクリーンは省エネルギーでありながら、環境に優しい。
【課題を解決するための手段】
【００１５】
本発明は表示方法を提供する。当該表示方法が次のことを含む。
【００１６】
白色反射板を提供し、その白色反射板自身は光を反射して白光を生じさせる。上記白色反射板の上又は外側にカラーフィルタが設けられ、上記白光が上記カラーフィルタを透過する際に、色を表示する。
【００１７】
また、本発明は表示装置を提供する。当該表示装置は、白色反射板と、少なくとも１個のカラーフィルタを含む。当該白色反射板は反射に使用されて白光を生じさせる。当該カラーフィルタは上記白色反射板に隣接し、上記白光が上記カラーフィルタを透過して反射した際に、対応する色彩を表示する。
【００１８】
また、本発明は表示スクリーンを提供する。当該表示スクリーンは、表示スクリーンフレームと、表示スクリーンフレームに取り付けられるスクリーンと、表示スクリーンフレームの内に取り付けられる制御回路からなる。そのうち、上記スクリーンは複数個の表示セルで構成されている。上記表示セルは制御回路に接続されている。上記表示セルは反射に使用されて白光を生じさせる白色反射板と、上記白色反射板に隣接する少なくもと１個のカラーフィルタを含む。上記カラーフィルタは上記白光が上記カラーフィルタを透過する際に、色を表示する。
【発明の効果】
【００１９】
本発明によれば、カラー表示は日光又は白光がカラーフィルタ、又は異なる種類のカラーフィルタを重ねて反射することによって形成されているもので、電気エネルギーの消耗をなくして、多種類の色彩又は全色彩を表示することができる。且つ、この方法で作製された表示装置は構造も簡単で、電気エネルギーを消耗せず、省エネルギーでありながら、環境に優しく、色彩も多様である。且つ、上記した表示装置からなる表示スクリーンは省エネルギーでありながら、環境に優しく、必要な各色を表示することができる。
【図面の簡単な説明】
【００２０】
【図１Ａ】関連技術における情報表示スクリーンの概略構造図である。
【図１Ｂ】図１ＡにおけるＬＥＤの設置位置の概略図である。
【図２Ａ】関連技術における液晶表示装置の概略構造図である。
【図２Ｂ】図２Ａにおける発光アレイの概略図である。
【図２Ｃ】図２Ａにおける均一板の概略図である。
【図３Ａ】本発明の実施形態における表示セルの概略構造図である。
【図３Ｂ】本発明の実施形態における表示セルの概略構造図である。
【図３Ｃ】本発明の実施形態における表示セルの概略構造図である。
【図３Ｄ】本発明の実施形態における表示セルの概略構造図である。
【図４Ａ】本発明の実施形態において、カラーフィルタに採用された半円柱形表示セルの概略図である。
【図４Ｂ】本発明の実施形態において、カラーフィルタに採用された半円柱形表示セルの概略図である。
【図４Ｃ】本発明の実施形態において、カラーフィルタに採用された円柱形表示セルの概略図である。
【図４Ｄ】図４Ｃの側面の断面図である。
【図５Ａ】本発明の実施形態におけるカラー表示装置の概略図である。
【図５Ｂ】本発明の実施形態におけるカラー表示装置の概略図である。
【図６Ａ】本発明の実施形態における表示スクリーンの概略図である。
【図６Ｂ】本発明の実施形態における表示スクリーンの概略図である。
【図７Ａ】本発明の他の実施形態における表示スクリーンの概略図である。
【図７Ｂ】本発明の他の実施形態における表示スクリーンの概略図である。
【発明を実施するための形態】
【００２１】
本発明の目的、技術案およびメリットをより明白に理解するため、次に、実施形態と図面により、本発明をより詳細に説明する。ここで、本発明の趣旨を表す実施形態や説明などは本発明の解釈に使用されるものであり、本発明を何ら限定するものではない。
【００２２】
本発明の実施形態は表示方法、表示装置および表示スクリーンを提供する。次に、図面を参照しながら、本発明をより詳細に説明する。
（１）実施形態の一
本発明は表示方法を提供する。当該表示方法が次のことを含む。
【００２３】
白色反射板を提供し、その白色反射板自身は光を反射して白光を生じさせる。上記白色反射板の上又は外側にカラーフィルタが設けられ、上記白光が上記カラーフィルタを透過する際に、対応する色彩が表示される。
【００２４】
上述したことから、液晶表示装置又はＬＥＤ表示スクリーンに比べ、白色反射板により反射した白光がカラーフィルタを透過して色彩を表示することにより、発光する必要がない。従って、電気エネルギーを消耗しないため、省エネルギーでありながら、環境に優しいということが分かる。
【００２５】
上述したカラーフィルタは１個でも良いし、多数個でもよく、数量に限定されない。実際に必要な表示色彩に応じて定められる。
【００２６】
図３Ａに示すように、白色反射板３０１の上に、カラーフィルタ３０２が設けられる。図３Ｂに示すように、白色反射板３０１の上に、カラーフィルタ３０２とカラーフィルタ３０３が設けられる。図３Ｃに示すように、白色反射板３０１の上に、カラーフィルタ３０２とカラーフィルタ３０３とカラーフィルタ３０４が設けられる。
【００２７】
カラーフィルタが多数個である場合、当該カラーフィルタを取り付ける手順に制限はなく、任意に配列してもよい。上述した白色反射板とカラーフィルタとの間に、若しくは各カラーフィルタの間に一定の距離を隔ててもよいし、貼り付けてもよい。
【００２８】
上述したカラーフィルタと白色反射板を、若しくはカラーフィルタ同士を完全に重ねてもよいし、部分的に重ねてもよい。カラーフィルタが多数個である場合、図３Ｄに示すように、多数個のカラーフィルタ同士を完全に重ねて、又は部分的に重ねて必要な色彩を生じさせる。
【００２９】
完全に重ねる場合、図３Ａに示すように、カラーフィルタが１個である場合、表示される色彩は当該カラーフィルタの色である。図３Ｂに示すように、カラーフィルタが２個である場合、表示される色彩は２個カラーフィルタの色を合成した色である。図３Ｃに示すように、カラーフィルタが３個である場合、表示される色彩は３個のカラーフィルタの色を合成した色である。
【００３０】
部分的に重ねる場合、図３Ｄに示すように、表示される色彩は上述した１個のカラーフィルタ、２個のカラーフィルタ又は３個のカラーフィルタの色を合成して生じた幾つかの色彩であるとともに、これらのカラーフィルタの色を混合して生じた色彩である。例えば、１個のカラーフィルタの５０％の部分だけを白色反射板と、又は他のカラーフィルタと重ねる場合、その色彩の５０％だけが表示され、全体として表示される色彩は１００％の部分を重ねる場合の色彩とは異なる。従って、任意の１個のカラーフィルタはその重ねられる部分の割合が変化すると、一組の異なる色彩が対応的に生じ、それが色彩の階調の変化に相当する。故に、本発明の表示方法は多様な色彩の表現を可能にする。
【００３１】
上述したカラーフィルタ３０２、３０３、３０４には任意の材料のカラーフィルタが使用されてもよい。
【００３２】
本実施形態における上述したカラーフィルタ３０２、３０３、３０４はガラス製のカラーフィルタ、又はプラスチック製のカラーフィルタが採用されている。また、カラーフィルタは透明のガラス或いは透明のプラスチックが使用され、その当該透明のガラス或いは透明のプラスチックの表面にカラーフィルタ膜を貼り付ける。
【００３３】
本実施形態における上述したカラーフィルタ３０２、３０３、３０４はコレステリン原理、又は液晶原理により透明度を制御する透明のカラーシート又は透明の膜を使用した。
【００３４】
上述した白色反射板３０１は任意の材料の白色板でもよい。
【００３５】
本実施形態において、白色反射板３０１には白色のプラスチック板、又は白色紙板、又は白色アルミニウムシート、又は白色アルミニウム合金シートを採用する。また、白色反射板３０１にはプラスチック板、紙板、アルミニウムシート、アルミニウム合金シートを採用し、当該プラスチック板、紙板、アルミニウムシート、アルミニウム合金シートに白色反射膜を貼り付けてもよい。
【００３６】
本実施形態において、白色反射板３０１は、コレステリン原理、又は液晶原理で反射率を制御する白色反射膜を使用した。
【００３７】
上述した白色反射板およびカラーフィルタにおけるサイズおよび形状には制限がなく、任意のサイズおよび形状でもよい。
【００３８】
図３Ａ乃至図３Ｄに示すように、本実施形態において、平面板の形でもよい。
【００３９】
図４Ａ乃至図４Ｄに示すように、上述した白色反射板とカラーフィルタは半柱形、柱形でもよい。或いは、白色反射板は柱形で、カラーフィルタは半柱形でもよい。
【００４０】
図４Ａ、図４Ｂは、本実施形態で採用された半円柱形の断面図である。
【００４１】
図４Ｃと図４Ｄは、本実施形態で採用された円柱形の断面図と側面図である。図４Ｄに示すように、カラーフィルタの形状が円柱形である場合、当該円柱形の一部分が透明体であり、他の部分がカラーフィルタ体である。
【００４２】
図４Ａ乃至図４Ｄに示すように、当該方法は次のことを含む。
【００４３】
回転軸４０５と、回転軸４０５をサポートするブラケット４０６を設置する。そのうち、回転軸４０５は白色反射板とカラーフィルタとを支え、このようにして、手動又は外部モーターの制御で、カラーフィルタ、又はカラーフィルタと白色反射板を回転軸４０５の回りで回転させる。白色反射板４０１にカラーフィルタを貼り付ける場合、白色反射板４０１はカラーフィルタと一緒に回転する。その後、当該カラーフィルタと白色反射板とを重ねる方式に応じて、色彩を表示する。
【００４４】
そのうち、カラーフィルタが半円柱形である場合、図４Ａに示すように、半円柱形のカラーフィルタの底部は円盤で回転軸４０５と接続することができ、図４Ｂに示すように、半円柱形のカラーフィルタの底部は半円盤で回転軸４０５と接続することもできる。
【００４５】
このようにして、カラーフィルタが回転軸４０５の回りを回転すると、各々のカラーフィルタは全て後ろに回転して対応する色彩を表示しない、又は各々のカラーフィルタは全て前に回転して当該カラーフィルタの全部の色彩を表示し、又は各々のカラーフィルタは部分的に前に回転して対応する当該カラーフィルタの部分の色彩を表示する。従って、各々のカラーフィルタの回転角度によって、各々のカラーフィルタと白色反射板とを様々に組み合わせて重ねることにより、異なる色彩を表示する。
【００４６】
カラーフィルタの色彩は実際の必要に応じて任意に選択され、何らの制限もない。次に、黄色、空色又はピンク色をとして本発明の表示方法を説明する。
【００４７】
図３Ａに示すように、カラーフィルタが１個であり、白色反射板３０１自身は光を反射して白光を生じさせ、カラーフィルタ３０２の色は黄色、空色又はピンク色である。そして、白色反射板３０１を黄色、空色又はピンク色のカラーフィルタ３０２と組み合わせて重ねることにより、当該カラーフィルタの色彩に対応する色を表示する。即ち、黄色、空色又はピンク色を表示する。
【００４８】
図３Ｂに示すように、カラーフィルタが２個であり、カラーフィルタ３０２、３０３の色はそれぞれ黄色とピンク色、黄色と空色、又はピンク色と空色である。そのうち、白色反射板３０１を黄色フィルタ、ピンク色フィルタと組み合わせて重ねることにより、赤色を表示する。白色反射板をピンク色フィルタおよび空色フィルタと組み合わせて重ねることにより、青色を表示する。白色反射板を黄色フィルタおよび空色フィルタと組み合わせて重ねることにより、緑色を表示する。上述したカラーフィルタの位置を互いに入れ替えることができる。
【００４９】
図３Ｃに示すように、カラーフィルタが３個であり、カラーフィルタ３０２、３０３、３０４の色はそれぞれ黄色とピンク色と空色であり、白色反射板３０１を黄色、ピンク色、および空色のフィルタ３０２、３０３、３０４と組み合わせて重ねることにより、黒色を表示する。上述したカラーフィルタの位置を互いに入れ替えることができる。
【００５０】
上記のことから、白色反射板とカラーフィルタとを組み合わせて重ねることで、上記８種類の色彩を表示することができる。
【００５１】
また、任意の白色反射板と任意のカラーフィルタとの一部分だけを組み合わせて重ねることにより、上記８種類の色彩以外の色彩を表示することができる。例えば、図３Ａに示すように、カラーフィルタが１個である場合であって、当該カラーフィルタが黄色で、且つ一部分だけを組み合わせて重ねることにより、表示される色彩は薄い黄色となる。重ねる部分が少ないほど表示される色彩はより薄い黄色となる。図３Ｂに示すように、カラーフィルタが２個である場合であって、当該二つのカラーフィルタが黄色とピンク色で、且つこの二つのカラーフィルタを同時に一部分だけ組み合わせて重ねることにより、表示される色彩は薄い赤色となる。重ねる部分が少ないほど表示される色彩はより薄い赤色となる。図３Ｃに示すように、カラーフィルタが３個である場合であって、当該三つのカラーフィルタが黄色とピンク色と空色で、且つこの三つのカラーフィルタを同時に一部分だけ組み合わせて重ねることにより、表示される色彩は薄い黒色となる。重ねる部分が少ないほど表示される色彩はより薄い黒色となる。
【００５２】
図４Ａと図４Ｂに示すように、各々異なる色を有し、半円柱形の上述した三つカラーフィルタを使用する場合、手動又は外部モーターの駆動により、三つの半円柱形のカラーフィルタ４０２、４０３、４０４を回転軸４０５の回りで回転させる。例えば、カラーフィルタ４０２、４０３、４０４の色はそれぞれ黄色、空色、ピンク色であってもよい。
【００５３】
カラーフィルタ４０２、４０３、４０４の各々が後ろに回転すると、対応する色彩を表示しない。カラーフィルタ４０２、４０３、４０４の各々が前に回転すると、対応する色彩を表示する。各々のカラーフィルタ４０２、４０３、４０４の一部分が前に回転すると、それに対応する色彩を表示するのは当然のことである。
【００５４】
例えば、カラーフィルタ４０２、４０３、４０４中の任意の１個が前に回転すると、カラーフィルタ４０２、４０３、４０４に対応する色彩を表示することができる。即ち、黄色、空色又はピンク色を表示する。
【００５５】
カラーフィルタ４０２、４０３、４０４中の任意の２個が前に回転すると、当該二つのカラーフィルタを重ねた色彩を表示することができる。即ち、赤色、緑色又は青色を表示する。
【００５６】
カラーフィルタ４０２、４０３、４０４の全てが前に回転すると、当該三つのカラーフィルタ４０２、４０３、４０４を重ねた色彩を表示することができる。即ち、黒色を表示する。
【００５７】
それに加えて、各々のカラーフィルタ４０２、４０３、４０４を異なる角度に回転することができ、このようにして、この三つのカラーフィルタ４０２、４０３、４０４と白色反射板４０１を様々に組み合わせて重ねることにより、色々な合成をした色彩を表示する。例えば、カラーフィルタが１個である場合、当該カラーフィルタが黄色で、且つ一部分だけを組み合わせて重ねると、表示される色彩は薄い黄色となる。重ねる部分が少ないほど表示される色彩はより薄い黄色となる。カラーフィルタが２個である場合、当該二つのカラーフィルタが黄色とピンク色で、且つこの二つのカラーフィルタを同時に一部分だけ組み合わせて重ねると、表示される色彩は薄い赤色となる。重ねる部分が少ないほど表示される色彩はより薄い赤色となる。カラーフィルタが３個である場合、当該三つのカラーフィルタが黄色とピンク色と空色で、且つこの三つのカラーフィルタを同時に一部分だけ組み合わせて重ねると、表示される色彩は薄い黒色となる。重ねる部分が少ないほど表示される色彩はより薄い黒色となる。
【００５８】
図４Ｃと図４Ｄに示すように、白色反射板４０１は円柱形であり、カラーフィルタ４０７、４０８、４０９は全て円柱形である。そのうち、カラーフィルタ４０７は半分が透明体であり、半分が黄色カラーフィルタである。カラーフィルタ４０８は半分が透明体であり、半分が空色カラーフィルタである。カラーフィルタ４０９は半分が透明体であり、半分がピンク色カラーフィルタである。
【００５９】
例えば、カラーフィルタ４０７、４０８、４０９が回転軸４０５の回りをそれぞれ回転する場合において、各カラーフィルタ４０７、４０８、４０９の透明体の全てを前にして対応する色彩を表示させないことができるし、透明体の全てを後ろにして対応する色彩を全部表示させることができるし、透明体の一部分を後ろにして対応する部分の色彩を表示させることができる。従って、カラーフィルタ４０７、４０８、４０９をそれぞれ異なる角度に回転させて白色反射板４０５との様々な組み合わせをして、色々な合成をした色彩を表示する。
【００６０】
カラーフィルタ４０７、４０８、４０９の透明体部分を全て前に回転させると、白色反射板４０５の白色を表示することができる。
【００６１】
カラーフィルタ４０７、４０８、４０９の透明体部分を全て後ろに回転させると、カラーフィルタ４０７、４０８、４０９の３色を合成した後の黒色を表示することができる。
【００６２】
カラーフィルタ４０７、４０８、４０９のうち、二つの透明体部分を全て前に回転させ、もう一つの透明体の一部分を後ろに回転させると、透明体を後ろに回転させた部分のカラーフィルタの色彩を表示する。即ち、黄色、空色又はピンク色を表示する。
【００６３】
カラーフィルタ４０７、４０８、４０９のうち、二つの透明体部分を全て後ろに回転させ、もう一つの透明体の一部分を前に回転させると、透明体を全て後ろに回転させた二つのカラーフィルタを重ねて合成した色彩を表示する。即ち、赤色、緑色又は青色を表示する。
【００６４】
カラーフィルタ４０７、４０８、４０９のうち、任意の１個、２個又は３個の透明体部分を部分的に前にして、部分的に後ろにする場合、白色、黒色、黄色、空色、ピンク色、赤色、緑色および青色の以外の色彩を表示することができる。例えば、薄い黒色、薄い黄色、薄い赤色、薄い緑色、薄い青色を表示する。
【００６５】
上述したカラーフィルタ４０７、４０８、４０９は手動又は外部モーターの駆動により、回転軸４０５の回りを回転する。また、様々な色彩を表示するため、実際の必要に応じて、上述したカラーフィルタの回転角度を制御することができる。
【００６６】
上記のことから、カラーフィルタと白色反射板との様々な組み合わせをすることにより、異なった合成した色彩を表示することができる。この表示方法は電気エネルギーを消耗せず、且つ環境に優しい。
（２）実施形態の二
また、本発明は表示装置を提供する。図３Ａに示すように、当該表示装置は、白色反射板３０１と、少なくとも１個のカラーフィルタ３０２を含む。当該白色反射板３０１は反射に使用されて白光を生じさせる。当該カラーフィルタ３０２は白色反射板３０１に隣接し、白光が上記カラーフィルタを透過して反射した際に、対応する色彩を表示する。
【００６７】
上記のことから、白色反射板３０１により生じた白光がカラーフィルタ３０２を透過して反射した際に対応する色彩を表示することは、液晶表示装置或いはＬＥＤ表示スクリーンと比べて、発光の必要がない。従って、電気エネルギーを消耗せず、省エネルギーでありながら、環境に優しく、構造も簡単であり、コストも低い。
【００６８】
上述したカラーフィルタは１個でも良いし、多数個でもよく、数量に限定されない。図３Ａ乃至図３Ｃに示すように、実際の必要な表示色彩に応じて定められる。
【００６９】
カラーフィルタが多数個である場合、図３Ｂと図３Ｃに示すように、当該の多数個のカラーフィルタと白色反射板を完全に重ね、又は、図３Ｄに示すように、部分的に重ねる。
【００７０】
図３Ａ乃至図３Ｄに示すように、カラーフィルタと白色反射板との間、若しくは各カラーフィルタの間においては、一定の距離を隔てることができる。それに加えて、カラーフィルタと白色反射板を、若しくはカラーフィルタ同士を貼り合わせることもできる。
【００７１】
本実施形態において、当該表示装置はさらにブラケットを含む（図示しない）。当該ブラケットは白色反射板とカラーフィルタを支える。
【００７２】
上述した白色反射板とカラーフィルタのサイズと形状は制限がなく、任意の形状をとってもよい。
【００７３】
上述した白色反射板とカラーフィルタに使用されている材料は実施形態の一と同じであるため、ここではその説明を略する。
【００７４】
本実施形態は、図３Ａ乃至図３Ｄに示すように、平面板の形でもよい。カラーフィルタを白色反射板の上に設ける、又は、白色反射板に貼り合わせる。
【００７５】
図４Ａ乃至図４Ｄに示すように、上述した白色反射板とカラーフィルタは半柱形、又は柱形である。カラーフィルタを白色反射板の外側に設ける、又は、白色反射板に貼り合わせる。
【００７６】
図４Ａと図４Ｂに示すように、本実施形態において、カラーフィルタは半円柱形であってもよい。図４Ｃと図４Ｄに示すように、カラーフィルタは円柱形であってもよい。図４Ｄに示すように、カラーフィルタが円柱形である場合、当該円柱形の一部分が透明体で、もう一部分がカラーフィルタである。
【００７７】
図４Ａ乃至図４Ｄに示すように、当該表示装置はさらに回転軸４０５を含む。白色反射板４０１と、カラーフィルタ４０２、４０３、４０４又は４０７、４０８、４０９を回転軸４０５に接続し、回転軸４０５のサポートで回転軸４０５の回りで回転させることができる。そのうち、カラーフィルタ４０２、４０３、４０４又は４０７、４０８、４０９は回転軸４０５を介して回転することができ、或は、カラーフィルタ４０２、４０３、４０４又は４０７、４０８、４０９と白色反射板４０１は回転軸４０５を介して回転することができる。カラーフィルタと白色反射板を貼り合わせた場合、カラーフィルタと白色反射板は回転軸４０５の回りを回転する。回転軸４０５を支えるため、ブラケット４０６は回転軸４０５に繋げられる。こうして、手動でカラーフィルタを回転し、必要な色彩を表示する。実施形態の一に記載したものと同じであるから、ここではその説明を略する。
【００７８】
本発明の一つの実施形態において、当該表示装置はさらに駆動ユニットを含む。当該駆動ユニットはカラーフィルタに繋げられ、カラーフィルタを駆動して回転軸405の回りを回転させる。当該駆動ユニットは任意の形式の回転モーターであってもよい。回転駆動機構は任意の形式のステッパモーターであってもよい。また、回転駆動機構は任意の形式の４５度、９０度、１２０度および１８０度回転電磁気駆動装置であってもよい。
【００７９】
上記の実施形態において、駆動ユニットは少なくとも一つの誘導磁石又は永久磁石と、少なくとも一つの導電コイルを巻き付けた磁石を含む。当該誘導磁石又は永久磁石はカラーフィルタの上に設けられ、回転軸に対して垂直となるように設けられる。当該導電コイルは表示スクリーンの制御回路に繋げられる。当該導電コイルを巻き付けた磁石は回転軸に対して垂直となるように設けられ、且つ、導電コイルを巻き付けた磁石のＳ−Ｎ極は誘導磁石、又は永久磁石のＳ−Ｎ極のトップ位置に対応する。そのうち、カラーフィルタの上に設けられた誘導磁石又は永久磁石と導電コイルを巻き付けた磁石を一組の磁石とする。
【００８０】
本実施形態において、駆動ユニット中の磁石の組数をカラーフィルタの数と一致させることができる。例えば、カラーフィルタが１個である場合、一組の誘導磁石又は永久磁石と導電コイルを巻き付けた磁石が必要である。カラーフィルタが２個である場合、二組の誘導磁石又は永久磁石と導電コイルを巻き付けた磁石が必要である。カラーフィルタが３個である場合、三組の誘導磁石又は永久磁石と導電コイルを巻き付けた磁石が必要である。カラーフィルタが４個である場合、四組の誘導磁石又は永久磁石と導電コイルを巻き付けた磁石が必要である。それ以上の場合も同様である。
【００８１】
本発明の一つの実施形態において、磁石はカラーフィルタの上に設置される以外に、白色反射板の上に設置されてもよい。こうして、当該表示装置はさらに駆動ユニットを含む。当該駆動ユニットはカラーフィルタと白色反射板に繋げられ、カラーフィルタと白色反射板を駆動して回転軸の回りを回転させる。
【００８２】
上記の実施形態において、駆動ユニットは少なくとも二つの誘導磁石又は永久磁石と、少なくとも二つの導電コイルを巻き付けた磁石を含む。当該誘導磁石又は永久磁石はカラーフィルタの上に設けられ、回転軸に対して垂直である。当該導電コイルは表示スクリーンの制御回路に繋げられる。当該導電コイルを巻き付けた磁石は回転軸に対して垂直となるよう設けられ、且つ、導電コイルを巻き付けた磁石のＳ−Ｎ極は誘導磁石、又は永久磁石のＳ−Ｎ極のトップ位置に対応する。
【００８３】
また、上記の二つの実施形態における駆動ユニットはベアリングユニットを含む。当該ベアリングユニットは導電コイルを巻き付けた磁石を支える。
【００８４】
次に、図５Ａ、図５Ｂに示した円柱形の表示装置を例として本発明を説明する。そのうち、磁石はカラーフィルタの上に設けられ、カラーフィルタの数は３個で、磁石の組数は３組である。
【００８５】
本実施形態において、当該表示装置は回転子５１と回転子駆動体５２を含む。そのうち、当該回転子５１は、軸５１１と、軸５１１を支える第一ベアリング構造５１２と、白色反射板５１７と、カラーフィルタ５１４と、カラーフィルタ５１６と、カラーフィルタ５１９を含む。当該カラーフィルタ５１４は、Ｓ−Ｎ極を備え、軸に対して垂直に設けられた一つの磁石ロッド又は磁石バー５１３を持ち、半分が透明体であり、半分が黄色フィルタである。当該カラーフィルタ５１６は、Ｓ−Ｎ極を備え、軸に対して垂直に設けられた一つの磁石ロッド又は磁石バー５１５を持ち、半分が透明体であり、半分が空色フィルタである。当該カラーフィルタ５１９は、Ｓ−Ｎ極を備え、軸に対して垂直に設けられた一つの磁石ロッド又は磁石バー５１８を持ち、半分が透明体であり、半分がピンク色フィルタである。そのうち、白色反射板５１７と、カラーフィルタ５１４、５１６と５１９は、軸５１１に繋げられ、軸５１１に支えられ、軸５１１を介して回転する。
【００８６】
回転子駆動体５２は三つの金属製のロッド又は、金属製のバー５２３、５２４、と５２６、および当該三つの金属製のロッド又は金属製のバー５２３、５２４、と５２６を支える第二ベアリング構造を含む。当該三つの金属製のロッド又は金属製のバー５２３、５２４、と５２６のそれぞれがＳ−Ｎ極を備え、軸に対して垂直に設けられ、導電コイル５２２、５２５と５２７を巻き付けた磁気化可能なものである。磁気化可能な金属製のロッド又は金属製のバー５２３、５２４、と５２６のＳ−Ｎ極の端部位置は回転子５１上の磁石ロッド又は磁石バー５１３、５１５と５１８のＳ−Ｎ極の端部位置に対応する。
【００８７】
コイル５２２、５２５と５２７中の電流方向により、回転子駆動体５２中の金属製のロッド又は金属製のバー５２３、５２４、と５２６の端部はＳ極又はＮ極になり、前端部のカラーフィルタ５１４、５１６、と５１９上の磁石ロッド又は磁石バー５１３、５１５と５１８を回転させ、対応する三つのカラーフィルタ５１４、５１６、と５１９を軸５１１の回りで回転させる。
【００８８】
上記の実施形態において、回転子駆動体５２中の金属製のロッド又は金属製のバー５２３、５２４、と５２６、および、回転子５１上の磁石ロッド又は磁石バー５１３、５１５と５１８、は、カラーフィルタ５１４、５１６、と５１９を駆動する駆動ユニットを構成する。このようにして、各々の表示セルにおいて、一つの駆動ユニットを設置して表示セルを回転させる。
【００８９】
また、回転子５１は単一の表示装置（表示セル）として、回転子駆動体５２は駆動ユニットとしてもよい。このようにして、上記の多数個の回転子５１で表示スクリーンを構成する場合に、１個又は回転子５１の数量より少ない数量の組み合わせで構成されている一つの駆動ユニット、一つの線状の駆動ユニット行又は線状の駆動ユニット列、或は駆動ユニットのアレイが独立して表示スクリーンの裏面に移動し、各々の表示セルや表示セル行又は表示セル列、或は表示セルアレイに到着後に、信号を出し、それに応じて、その表示セル、又はその部分の表示セルを駆動する回転子で、当該回転子の色彩を表示する。
【００９０】
各々のカラーフィルタ５１４、５１６、と５１９を全て後ろにして対応する色彩を表示しないことができ、又は全てを前にして対応する全部の色彩を表示することができ、又は部分的に前にして対応する部分の色彩を表示することができる。この三つのカラーフィルタ５１４、５１６、と５１９は白色反射板５１７との様々な組み合わせをして異なる色彩を表示する。その色彩を表示することが実施形態の一と同じであるため、ここではその説明を略する。
【００９１】
そのうち、カラーフィルタ５１４、５１６、と５１９は如何なる色彩であってもよいため、如何なる色彩をも表示することができる。磁石ロッド又は磁石バーを持つカラーフィルタの個数とＳ−Ｎ極を備え、軸に対して垂直となるように設けられ、導電コイルを巻き付けた磁気化可能な金属製のロッド又は金属製のバーの個数は３個に限らず、１又は１以上の任意の整数であってもよい。例えば、Ｎ個である。このＮ個のカラーフィルタと白色反射板を任意に組み合わせることで、対応する多種類の色彩を表示することができる。
【００９２】
カラーフィルタ５１４、５１６、と５１９上の磁石ロッド又は磁石バー５１３、５１５と５１８はフェライト、鉄の合金、Ｎｄ−Ｆｅ−Ｂ合金、永久磁石であってもよいし、他の如何なる磁気性材料であってもよい。
【００９３】
金属製のロッド又は金属製のバー５２３、５２４、と５２６はシリコン鉄鋼、フェライト、鉄の合金であってもよいし、他の如何なる磁気化可能な材料であってもよい。
【００９４】
金属製のロッド又は金属製のバー５２３、５２４、と５２６に巻付けられるコイル５２２、５２５と５２７は、銅、アルミニウム、銅とアルミニウムの複合材料であってもよいし、他の如何なる導電性材料であってもよい。
【００９５】
第一ベアリング構造５１２と第二ベアリング構造５２１を別々に設置し、二つの別の部品を形成して組み立てることができ、又は組み合わせて固定して一体の表示装置を形成することもできる。当該表示装置は表示セル又は表示画素と称する。
【００９６】
上記のことから、白色反射板により生じた白光がカラーフィルタを透過して反射した際に対応する色彩を表示することは液晶表示装置或いはＬＥＤ表示スクリーンと比べて、発光の必要がない。従って、電気エネルギーを消耗せず、省エネルギーでありながら、環境に優しく、構造も簡単であり、コストも低い。また、多数個のカラーフィルタのそれぞれを異なる角度に回転することにより、白色反射板との様々な組み合わせをして異なる色彩を表示する。
（３）実施形態の三
本発明は表示スクリーンを提供する。図６Ａと６Ｂに示すように、当該表示スクリーンは、表示スクリーンフレーム６０３と、表示スクリーンフレーム６０３に取り付けられるスクリーン６０１と、表示スクリーンフレームの内に取り付けられる制御回路６０４からなる。
【００９７】
図６Ａと図６Ｂに示すように、当該表示スクリーンは更に制御回路６０４に電気エネルギーを供給する電源６０５と解釈やコンピュータの指令を制御回路６０４に転送するコンバーター回路６０７を含む。且つ、図６Ａと図６Ｂにおいて、コンピュータ６０６は、コンバーター回路６０７に指令を転送することに使用されている。そのうち、制御回路６０４、電源６０５とコンバーター回路６０７の役割は先行技術と類似するため、ここではその説明を略する。
【００９８】
図６Ａと図６Ｂに示すように、表示スクリーンは多数個の表示セル６０２で構成されている。
【００９９】
図６Ａに示すように、当該表示スクリーンは多数個の表示セル６０２を配列して、一つの表示アレイを成すことにより、表示スクリーン６０１が形成されている。そのうち、当該表示セル６０２は実施形態の二中のいずれかの表示装置であってもよいので、ここではその説明を略する。
【０１００】
各々の表示セル６０２は異なる色彩を表示することにより、スクリーンの全体に異なる文字やパターンや画面を表示することができる。表示セル６０２の数量は１より大きい如何なる整数であってもよい。表示アレイは任意に組み合わせられることができる。表示スクリーンは如何なる形状であってもよいし、表示スクリーンは如何なるサイズであってもよい。
【０１０１】
上記の実施形態において、図６Ａに示すように、各々の表示セル６０２は縦に配列されてもよい。この表示スクリーン中に、図６Ｂに示すように、各々の表示セル６０２は横に配列されてもよい。
【０１０２】
実際の応用に、上記の表示セルを使用する場合、各々の表示セル６０２は一つのポイントの色彩を表示することができるし、二つのポイントの色彩を重ねて又は混合して二つのポイントで表示することができるし、縦に二つのポイントで表示することができるし、横に二つのポイントで表示することができるし、三つのポイントの色彩を重ねて又は混合して三つのポイントで表示することができるし、縦に三つのポイントで表示することができるし、横に三つのポイントで表示することができるし、縦と横に三つのポイントで表示することができるし、四つのポイントの色彩を重ねて又は混合して四つのポイントで表示することができるし、縦に四つのポイントで表示することができるし、横に四つのポイントで表示することができるし、縦と横に四つのポイントアレイで表示することができる。
【０１０３】
表示スクリーンはコンピュータの制御でスクリーンの全体に表示することができる。
【０１０４】
表示スクリーンはネットワーク電話、無線のネットワーク、無線転送、ハードディスク、メモリ貯蔵器、ＣＤとＤＶＤにてデータを転送、貯蔵、制御することもできる。
【０１０５】
図７Ａと図７Ｂに示すように、当該表示スクリーンは表示スクリーンフレーム７０８と、表示スクリーンフレーム７０８に取り付けられるスクリーン７０１と、表示スクリーンフレームの内に取り付けられる制御回路７０４からなる。
【０１０６】
また、図７Ａと図７Ｂに示すように、当該表示スクリーンは更に制御回路７０４に電気エネルギーを供給する電源７０５と解釈やコンピュータの指令を制御回路７０４に転送するコンバーター回路７０７を含む。図に示すように、コンピュータ７０６はコンバーター回路７０７に指令を転送することに使用されている。そのうち、制御回路７０４、電源７０５とコンバーター回路７０７の役割は先行技術と類似するため、ここではその説明を略する。
【０１０７】
図６Ａと図６Ｂに類似で、表示スクリーン７０１は多数個の表示セル７０２で構成されている。
【０１０８】
また、表示スクリーンはさらに発光ダイオード７０３を含み、図７Ａと図７Ｂに示すように、当該発光ダイオード７０３は表示スクリーン７０１の表示セル７０２同士の間に、又は四つの角に設けられ、そこで、表示セル７０２のアレイ上に、一つの発光ダイオードアレイが形成される。
【０１０９】
図７Ａに示すように、発光ダイオード７０３は表示セル７０２の四つの角に取り付けられる。
【０１１０】
図７Ｂに示すように、発光ダイオード７０３は表示セル７０２同士の間に取り付けられる。
【０１１１】
そのうち、発光ダイオード７０３は如何なる単色のものであってもよいし、複数個の単色発光ダイオードを組み合わせて単色又はカラーの発光ダイオードの束を形成したものであってもよいし、或は単一のカラー発光ダイオード又はカラー発光ダイオードの組みであってもよい。
【０１１２】
発光ダイオードのアレイを全体の表示スクリーン７０１の照明光源として使用することができる。発光ダイオードのアレイは単色光を発光することができるし、全体の表示スクリーン７０１の表示に対応する様々な色彩を発光することができる。発光ダイオードのアレイは表示スクリーンと独立して単独で発光することができ、一つの独立の発光ダイオードのスクリーンを形成して各種の単色又はカラーのものを表示する。
【０１１３】
図６Ａと図６Ｂ、図７Ａと図７Ｂに示した実施形態において、表示スクリーン６０１、７０１は表示スクリーンフレーム６０３、７０８で支えられる。表示スクリーンと発光ダイオードのアレイ７０１は制御回路６０４、７０４に接続される。制御回路６０４、７０４は発光ダイオードと表示スクリーンを制御する。電源６０５、７０５は制御回路６０４、７０４を通して全体の表示スクリーンに電力を提供する。コンピュータ６０６、７０６は、解釈やコンピュータの指令を制御回路６０４、７０４に転送するコンバーター回路６０７、７０７で制御回路６０４、７０４を連続的に制御するとともに、それに指令を出すことで、全体の表示スクリーンをコンピュータの制御で表示する。
【０１１４】
従って、表示スクリーンはコンピュータ６０６、７０６の制御で、各種の文字やパターンやアニメ、ビデオを表示することができる。表示スクリーンおよび発光ダイオードのアレイはネットワーク電話、無線のネットワーク、無線転送、ハードディスク、メモリ貯蔵器、ＣＤとＤＶＤにてデータを転送、貯蔵、制御することもできる。
【０１１５】
図５Ａと図５Ｂに示した表示セルを使用する場合、第一ベアリング構造５１２と第二ベアリング構造５２１とを組み合わせて、一緒に固定し、一体化の表示セルを形成する。多数個の表示セルは一緒に組み合わせることにより、表示アレイを形成することで、透過反射式の表示スクリーンを形成する。このようにして、回転子５１中のカラーフィルタ５１４、５１６、と５１９上の磁石ロッド又は磁石バー５１３、５１５と５１８および回転子駆動体５２を駆動ユニットとする。表示セルごとの回転子は、それに対応する回転子駆動体の駆動により、異なる色彩を表示することで、スクリーンの全体に異なる文字やパターンや画面を表示することができる。
【０１１６】
表示セルの数は１より大きい如何なる整数であってもよい。表示アレイは任意の組み合わせによりなるものであってもよい。
【０１１７】
さらに、形成されている回転子５１と回転子駆動体５２を分離してもよい。回転子５１を独立した一つの表示セルとして、多数個の回転子５１を組み合わせることによって表示アレイを形成する。そこで、一つの透過反射式の表示スクリーンを形成する。
【０１１８】
このようにして、回転子駆動体５２を単独の駆動ユニットとすることで、駆動ユニットが１個又は多数個であるものとすることができる。１個又は多数個の回転子駆動ユニットを組み合わせて形成したアレイが独立して表示スクリーンの裏面に移動し、各々の画素点に到着後に、信号を出すことで、当該表示セルを駆動する回転子は当該回転子の色彩を表示する。回転子駆動体５２は表示スクリーンの裏面に移動して走査した後、表示セルごとの回転子が全て駆動されて異なる色彩を表示することで、スクリーンの全体に異なる文字やパターンや画面を表示することができる。
【０１１９】
回転子駆動体が１個である場合、当該回転子駆動体は、全ての表示セルを駆動するように、表示スクリーンの上を走査可能である。
【０１２０】
回転子駆動体が多数個である場合、これらの回転子駆動体は線形、長方形又は正方形のアレイに配列させることができる。これらの線形又はアレイの形状に配列された回転子駆動体は、全ての表示セルを駆動するように、表示スクリーンの上を走査可能である。
【０１２１】
一つの回転子駆動体、又は多数個の回転子駆動体を組み合わせたものは、走査移動を、手動の方式により実現できる。代わりに、一つの回転子駆動体、又は多数個の回転子駆動体を組み合わせたものは、ステッパモーター、又は任意のモーターの駆動により横方向と縦方向に走査移動することができる。
【０１２２】
上述したことから、液晶表示装置又はＬＥＤ表示スクリーンに比べ、白色反射板とカラーフィルタを重ねて色彩を表示する表示スクリーンは、発光する必要がないので、電気エネルギーを消耗せず、省エネルギーでありながら、環境に優しく、簡単な構造で、コストも低いということが分かる。
【０１２３】
上記の実施形態において、本発明の目的、技術案および発明の効果をより詳細に説明した。ここで、上記のことは本発明の実施形態だけであり、本発明を何ら限定するものではない。本発明の趣旨と原則の内に、本発明に対して、如何なる補正、均等物による置換、改善などが本発明の権利請求項の範囲内に入る。
【符号の説明】
【０１２４】
１  表示スクリーン本体、２  表示アレイ、３  ＬＥＤ、４  反射凹面鏡、２０  液晶表示装置、２１  発光アレイ、２２  均一板、２３  第一偏光シート、２４  液晶表示パネル、２５  第二偏光シート、２１１  独立光源、２１２  赤の原色発光素子、２１３  青の原色発光素子、２１４  緑の原色発光素子、３０１，４０１，５１７  白色反射板、３０２，３０３，３０４，４０２，４０３、４０４，４０７，４０８，４０９，５１４，５１６，５１９  カラーフィルタ、４０５  回転軸、４０６  ブラケット、５１  回転子、５１１  軸、５１２  第一ベアリング構造、５１３，５１５，５１８  磁石ロッド又は磁石バー、５２  回転子駆動体、５２１  第二ベアリング構造、５２２，５２５，５２７  導電コイル、５２３，５２４，５２６  金属製のロッド又は金属製のバー、６０１，７０１  スクリーン、６０２，７０２  表示セル、６０３，７０８  表示スクリーンフレーム、６０４，７０４  制御回路、６０５，７０５  電源、６０６，７０６  コンピュータ、６０７，７０７  コンバータ回路、７０３  発光ダイオード。
【図１Ａ】
2011508910.tif 000003
【図１Ｂ】
2011508910.tif 000004
【図２Ａ】
2011508910.tif 000005
【図２Ｂ】
2011508910.tif 000006
【図２Ｃ】
2011508910.tif 000007
【図３Ａ】
2011508910.tif 000008
【図３Ｂ】
2011508910.tif 000009
【図３Ｃ】
2011508910.tif 000010
【図３Ｄ】
2011508910.tif 000011
【図４Ａ】
2011508910.tif 000012
【図４Ｂ】
2011508910.tif 000013
【図４Ｃ】
2011508910.tif 000014
【図４Ｄ】
2011508910.tif 000015
【図５Ａ】
2011508910.tif 000016
【図５Ｂ】
2011508910.tif 000017
【図６Ａ】
2011508910.tif 000018
【図６Ｂ】
2011508910.tif 000019
【図７Ａ】
2011508910.tif 000020
【図７Ｂ】
2011508910.tif 000021
【国際調査報告】
2011508910.tif 000022
2011508910.tif 000023
2011508910.tif 000024
2011508910.tif 000025
2011508910.tif 000026
2011508910.tif 000027
2011508910.tif 000028
2011508910.tif 000029